(57)【特許請求の範囲】
【請求項１】
平面基板上に複数個のＬＥＤを配設したＬＥＤパネルと、
表面に前記ＬＥＤパネルが装着され、裏面に高さの異なる複数の凸部を有する板状部材と、を有し、
前記凸部をエレベーターの乗りかごの天井板に当接させて設置することにより、前記天井板から所定角度だけ傾けることが可能である、
エレベーター用照明装置。
【請求項２】
前記凸部には当該エレベーター用照明装置を前記天井板に固定するための固定ボルトを通す貫通穴があり、前記凸部は、既存の照明装置を固定するために前記天井板に設けられている機構に合う位置に前記貫通穴がくるように、前記板状部材上に配設されている、請求項１に記載のエレベーター用照明装置。
【請求項３】
前記凸部を前記天井板に当接させることにより生じる、前記板状部材と前記天井板の間の空間の高さが前記天井板の撓みを吸収できるだけの寸法である、請求項１または２に記載のエレベーター用照明装置。
【発明の詳細な説明】
【技術分野】
【０００１】
本発明は、ＬＥＤの光源によりエレベーターのかご内に光を照射するエレベーター用照明装置に関する。
【背景技術】
【０００２】
これまでエレベーターの乗りかご内の照明装置としては蛍光灯が一般的であった。例えば蛍光灯を用いた照明ユニットを乗りかごの天井に設置するものがあった。しかし、近年、省エネルギー化を図るために、ＬＥＤ(Light Emitting diode)を光源として用いた照明装置が提案されている（例えば特許文献１参照）。ＬＥＤの一つ一つの発光素子は大きなものではないので、ＬＥＤを光源とした照明装置としては複数個のＬＥＤを配設したものが一般的である。
【０００３】
特許文献１に開示された照明装置は、導光板の側端部に配設された複数個のＬＥＤランプからの光を導光板で導きつつ、導光板の背面側にある反射シートで反射すると共に導光板の照射面側にある光拡散シートで拡散することにより、乗りかご内の全体に光を照射するものである。
【０００４】
具体的には、特許文献１の照明装置は、ＬＥＤランプと、カバーと、空間部と、スペーサーとを備える構成であり、乗りかごの天井部に形成された開口部に設置される。ＬＥＤランプとしては、複数個のＬＥＤがカバーに取り付けられており、導光板の側端部の近傍に位置している。導光板は、このＬＥＤランプからの光を側端部から導光板内部に導く。ＬＥＤランプが取り付けられたカバーはＬＥＤランプ及び導光板を覆っている。
【０００５】
このようなエレベーターでは保守作業で保守員がカバー上に乗ることがあるので外力によるカバーの撓みに対する対策が採られている。空間部は、カバーと導光板の間に形成され、カバーに与えられる外力によって生じるカバーの撓みを吸収し得る高さ寸法を有している。スペーサーは、この空間部を形成するために、空間部において導光板の上側とカバーの下面のそれぞれに当接するように設けられている。このように、特許文献１の照明装置では、カバーの撓みを空間部及びスペーサーが吸収し、ＬＥＤランプや導光板が破損するのを防止している。
【０００６】
また，光源となる複数のＬＥＤ素子の取り付け方法を工夫することにより、設置および交換の作業を容易にした照明装置が提案されている（例えば特許文献２参照）。
【先行技術文献】
【特許文献】
【０００７】
【特許文献１】特開２０１１−１１８７３号公報
【特許文献２】特開２０１１−１０５４３３号公報
【発明の概要】
【発明が解決しようとする課題】
【０００８】
ＬＥＤによる照明装置は省エネルギーには有効であるが、複数の光源を配列した構成なので、光の反射や影が生じる部分において蛍光灯による照明装置とは異なる明るさの分布になることがある。
【０００９】
蛍光灯による照明装置では明るさは比較的自然に分布するため、影や明るさの変化に乗客が違和感を持つことはほとんど少ない。しかし、ＬＥＤによる照明装置では、例えば、１つの遮蔽物から複数の影が出たり、その近傍の明るさの変化が階段状になって光と影の縞ができたりすることがある。そのような不自然な明るさの分布があると、乗客がＬＥＤによる照明装置に違和感を感じる可能性があった。
【００１０】
本発明の目的は、ＬＥＤを光源とする照明装置による明るさの分布の不自然さを低減する技術を提供することである。
【課題を解決するための手段】
【００１１】
本発明の一態様によるエレベータ用照明装置は、平面基板上に複数個のＬＥＤを配設したＬＥＤパネルと、表面に前記ＬＥＤパネルが装着され、裏面に高さの異なる複数の凸部を有する板状部材と、を有している。
【００１２】
また他の態様のエレベータ用照明装置として、前記凸部をエレベーターの乗りかごの天井板に当接させて設置することにより、前記天井板から所定角度だけ傾けることが可能であるとしてもよい。
【００１３】
また他の態様のエレベータ用照明装置として、前記凸部には当該エレベーター用照明装置を前記天井板に固定するための固定ボルトを通す貫通穴があり、前記凸部は、既存の照明装置を固定するために前記天井板に設けられている機構に合う位置に前記貫通穴がくるように、前記板状部材上に配設されているとしてもよい。
【００１４】
また他の態様のエレベータ用照明装置として、前記板状部材の前記凸部はエンボス加工によって形成されていることにしてもよい。
【００１５】
また他の態様のエレベータ用照明装置として、前記凸部を前記天井板に当接させることにより生じる、前記板状部材と前記天井板の間の空間の高さが前記天井板の撓みを吸収できるだけの寸法であるとしてもよい。
【発明の効果】
【００１６】
本発明によれば、ＬＥＤを光源とする照明装置による明るさの分布の不自然さが低減される。
【図面の簡単な説明】
【００１７】
【図１】本実施形態におけるエレベータの乗りかごの内部の様子を示す図である。
【図２】箱体３内部を側方から見た図である。図３はしゃへい板の構造を示す斜視図である。
【図３】しゃへい板の構造を示す斜視図である。
【図４】箱体３に照明装置が設置された様子を下方から見た図である。
【図５】第１の照明装置６ａの構成を示す図である。
【図６】第２の照明装置６ｂの構成を示す図である。
【図７】照明装置６が取り付けられた状態（荷重がかかっていない状態）を側方から見た図である。
【図８】照明装置６が取り付けられた状態（荷重がかかっている状態）を側方から見た図である。
【図９】比較例の照明装置を設置したときの光の経路を側方から見た図である。
【図１０】本実施形態の照明装置を設置したときの光の経路を側方から見た図である。
【発明を実施するための形態】
【００１８】
本発明の実施形態について図面を参照して詳細に説明する。
【００１９】
図１は、本実施形態におけるエレベータの乗りかごの内部の様子を示す図である。図１を参照すると、乗りかご１には、その出入口に乗りかごドア２が配置され、天井に箱体３が配設されている。箱体３の中には照明装置が配設される。
【００２０】
図２は、箱体３内部を側方から見た図である。図３はしゃへい板の構造を示す斜視図である。図２を参照すると、箱体３の側板の内側下端部には目地枠５が突起している。図３を参照すると、しゃへい板４は、アクリルなどの光透過性のしゃへい材の周囲をアルミ製のしゃへい材枠１４で補強した構成である。図２のように、しゃへい板４は、しゃへい材枠１４を目地枠５に載置することで保持され、箱体３の下方の開口部を塞いでいる。照明装置の照射光はしゃへい材４を透過し、乗りかご１内を照らすが、外から照明装置を直接目視することはできない。
【００２１】
図４は、箱体３に照明装置が設置された様子を下方から見た図である。図４に示すように箱体３の中には複数の照明装置６が配設されている。照明装置６には２種類の照明装置６ａ、６ｂがある。第２の照明装置６ｂは箱体３の側壁近傍に配置され、第１の照明装置６ａはその内側に配置される。
【００２２】
図５は、第１の照明装置６ａの構成を示す図である。図６は、第２の照明装置６ｂの構成を示す図である。
【００２３】
図５、６に示すように、照明装置６ａ、６ｂは、平面基板上に複数のＬＥＤ素子７を配置した極薄のＬＥＤパネル８を、エンボス加工によって形成された所定の高さ寸法の凸部９を裏面に有する形鋼１０の表面に張り付けた構成である。第１の照明装置６ａでは、２つの凸部９ａの高さが同じであるが、第２の照明装置６ｂでは、２つの凸部９ｂ、９ｃの高さが異なっている。第１の照明装置６ａは水平に設置されるが、第２の照明装置６ｂは内側に傾いて設置される。第２の照明装置６ｂは、高い方の凸部９ｃが箱体３の側板に対向するように設置される。
【００２４】
図７、８は、照明装置６が取り付けられた状態を側方から見た図である。ＬＥＤパネル８が張り付けられた形鋼１０ａ、１０ｂが、凸部９を天井板１３に当接させるように、ボルト１１とナット１２で乗りかご１の天井板１３に固定されている。凸部９ａあるいは凸部９ｂ、９ｃを天井板１３に当接させることで形成される天井板１３とＬＥＤパネル８の間の空間は、その高さが、想定される天井板１３の所定量の撓みを吸収できるだけの寸法を有している。
【００２５】
図７の状態では天井板１３に負荷がかかっていないが、図８の状態では天井板１３に上から荷重がかかっており、天井板１３が撓んでいる。しかし、天井板１３と形鋼１０ａ、１０ｂの間には凸部９ａ、９ｂ、９ｃによって確保された空間があるため、形鋼１０ａ、１０ｂは撓んでおらず、ＬＥＤパネル８には負荷がかかっていない。
【００２６】
このように、乗りかご１上での保守作業時に作業員が天井板１３上に乗り、図８に示すように荷重により天井板１３が撓んでも、その撓みは空間で吸収され、ＬＥＤパネル８が破損することが防止されている。
【００２７】
図９は、比較例の照明装置を設置したときの光の経路を側方から見た図である。図１０は、本実施形態の照明装置を設置したときの光の経路を側方から見た図である。
【００２８】
図９の場合、照明装置が天井板と水平に設置されている。そのため、目地枠５付近（図中の円Ｓで囲われた部分）に、ＬＥＤ素子からの光が照射されている。そのため、図９の構成では目地枠５から不自然に複数の影が発生する場合がある。
【００２９】
これに対して、本実施形態では、図１０に示すように、目地枠５の近傍の照明装置６ｂが内側に所定の角度だけ傾けて設置されている。この角度は、凸部９ｂ、９ｃを天井板１３に当接させることにより規定される。本構成により、しゃへい板４の全面にＬＥＤ素子からの光が照射されているにもかかわらず、目地枠５には光が照射されていない。そのため、目地枠５付近に不自然な影が発生して意匠性が低下するのを防止することができる。また、そのために、箱体３の側板付近に配置する照明装置６ｂにおいては、凸部９ｂ、９ｃの高さを違えているだけなので、部品点数が増えることもない。
【００３０】
なお、照明装置６ｂを内側に傾ける角度については、最も箱体３の側板に近いＬＥＤ素子７と側板との距離と、目地枠５のＬＥＤ素子７に対する高さ位置と、ＬＥＤ素子７の照射角とから、ある程度妥当な角度を算出できる。ただし、しゃへい板４に用いるアクリル材の透過率やＬＥＤ素子７と目地枠５との距離など様々な要因も影響するので、演算によって適切な角度を厳密に算出するのは困難である。また、最終的には人間が不自然と感じるか否かが判断基準になるので、モニタ試験等で人間が実際に目視して不自然に感じるか否かを基準に角度を決定するのがよい。ただし、角度を厳密に調整しなくても、照明装置６ｂを内側に傾けることで、目地枠５から複数の影が出たり、その近傍の明るさの変化が階段状になって光と影の縞ができたりするのを低減する方向には作用する。
【００３１】
また、本実施形態では、乗りかご１の照明装置として極薄のＬＥＤパネル８を用いているので、照明装置の簡易化を図ることができる。
【００３２】
また、乗りかご１上での保守作業において作業員が天井板１３に乗り、荷重により天井板１３が撓んでも、ＬＥＤパネル８が破損することを防ぐことができる。
【００３３】
なお、本実施形態では、照明装置６ｂにおける凸部９ｂ、９ｃには、ボルト１１を通す貫通穴があり、凸部９ｂ、９ｃは、その貫通穴が蛍光灯などの既存の照明装置を固定するために設けられていた機構に合う位置に来るように配設されている。同様に、照明装置６ａにおける凸部９も、そ個に設けられた貫通穴が蛍光灯などの既存の照明装置を固定するために設けられていた機構に合う位置に来るように配設されている。そのため、既存の照明装置を容易にＬＥＤ照明装置にリプレースすることが可能となっている。
【００３４】
上述した本実施形態は、本発明の説明のための例示であり、本発明の範囲をそれらの実施形態のみに限定する趣旨ではない。当業者は、本発明の要旨を逸脱することなしに、他の様々な態様で本発明を実施することができる。
【符号の説明】
【００３５】
１０…形鋼、１０ａ…形鋼、１１…ボルト、１２…ナット、１３…天井板、１４…材枠、２…ドア、３…箱体、４…しゃへい板、５…目地枠、６…照明装置、６ａ…照明装置、６ｂ…照明装置、７…ＬＥＤ素子、８…ＬＥＤパネル、９…凸部、９ａ…凸部、９ｂ…凸部、９ｃ…凸部
【図１】
0005931466.tif 000002
【図２】
0005931466.tif 000003
【図３】
0005931466.tif 000004
【図４】
0005931466.tif 000005
【図５】
0005931466.tif 000006
【図６】
0005931466.tif 000007
【図７】
0005931466.tif 000008
【図８】
0005931466.tif 000009
【図９】
0005931466.tif 000010
【図１０】
0005931466.tif 000011